(57)【要約】【課題】異物がポンプ室内に流入してインペラをロックするおそれをなくするとともに、分解を必要とせずに簡便にメンテナンスができるようにする。【解決手段】ポンプ室への吸込口１０にスリット１７を設け、取付部８１とフィルタ部８５とからなる異物捕捉部材８０を嵌め込む。取付部８１は吸込口の小径部と同一外径の半円弧の外形と、小径部の肉厚と同一の径方向幅を有し、フィルタ部は吸込口の貫通穴１１を横切る複数の円形リング８６から形成されている。スリット部分は吸込口に挿し込まれる吸い込みホースによりカバーされる。吸い込まれる水に混入している異物は、フィルタ部によってポンプ室２内に流入する前に捕捉されるからポンプ室内のインペラにまで及ばず、ポンプ室内に堆積することもない。異物の除去や異物捕捉部材８０の取り替えなどのために、アッパボディ３とロアボディ４の分離など大掛かりな分解を行う必要もない。【選択図】図７
2010116788.tif 000002
【特許請求の範囲】
【請求項１】
ポンプ室と、ポンプ室に液体を吸い込む吸込口とポンプ室から液体を吐出する吐出口とを有するポンプ装置において、
前記吸込口に、その穴内から外周に至るスリットが設けられ、
該スリットに、フィルタ部を有する異物捕捉部材が差し込まれて、
該異物捕捉部材の前記フィルタ部が前記吸込口の穴を横切っていることを特徴とするポンプ装置。
【請求項２】
前記スリットは、前記吸込口の軸に対して垂直方向に径方向途中まで形成され、
前記異物捕捉部材は、前記スリットの底壁に係止する係合部を有していることを特徴とする請求項１に記載のポンプ装置。
【請求項３】
前記異物捕捉部材は、上半部が前記吸込口の前記スリットが形成された部位の外径と同一の外径を有する半円弧の外形を有し、下半部が前記吸込口の穴の内径と同一の外径を有する円の半円弧内に収まる正面形状を有し、
前記上半部と下半部との段差部が前記係合部を構成していることを特徴とする請求項２に記載のポンプ装置。
【請求項４】
前記フィルタ部は、前記吸込口の穴の軸心と同心の複数の円形リングを径方向の連結部でつないで構成され、最外周の円形リングと前記吸込口の穴の内壁との間に間隙を設けるよう設定されていることを特徴とする請求項３に記載のポンプ装置。
【請求項５】
前記吸込口の外周は、複数の大径部と、該大径部の間に挟まれた小径部とを有し、
前記スリットは前記小径部に形成され、
前記小径部両側の大径部にわたって前記吸込口に外挿される吸い込みホースにより、前記スリットおよび異物捕捉部材が外部からシールされることを特徴とする請求項１から４のいずれか１に記載のポンプ装置。
【請求項６】
前記吸込口の外周は、大径部と小径部とを有し、
前記スリットは前記大径部に形成され、
前記大径部を越えて前記吸込口に外挿される吸い込みホースにより、前記スリットおよび異物捕捉部材が外部からシールされることを特徴とする請求項１から４のいずれか１に記載のポンプ装置。
【請求項７】
前記大径部が前記吸込口の外方先端側に形成されていることを特徴とする請求項６に記載のポンプ装置。
【発明の詳細な説明】
【技術分野】
【０００１】
本発明は、インペラなどを回転駆動することにより吸込口から液体を吸い込み、吐出口から吐出するポンプ装置に関する。
【背景技術】
【０００２】
従来のポンプ装置として、例えば洗濯機における洗濯水循環用等に用いられるウォーターポンプがある。
これは洗濯槽から排出した水を吸い込んで再度洗濯槽へ戻すものであるが、洗濯槽から排出された水には糸くずやその他の異物が混じっているので、これがウォーターポンプに吸い込まれるとインペラまわりに引掛かってインペラのロック等の故障を招くという問題が生じる。
そこで、例えば特開２００８−１２１４３０号公報には、インペラ室の外周側に形成された渦室の外周側に渦室流水方向に沿わせて異物捕集流路を設け、ここに異物ろ過網を配置して異物対策としたウォーターポンプが提案されている。
【特許文献１】特開２００８−１２１４３０号公報
【発明の開示】
【発明が解決しようとする課題】
【０００３】
しかしながら、上記従来の対策技術では、インペラが設置されたポンプ室内部に異物捕集流路および異物ろ過網が配置されているので、異物がインペラに触れないわけにはゆかず、結局、インペラのロックのおそれを皆無とすることができない。
また、異物捕集流路における異物の堆積量が多くなると、当該流路が詰まってしまって異物対策としての機能が果たせなくなる。
そして、異物捕集流路がポンプ室内部にあるため、外部から直接アクセスすることができず、堆積した異物を取り除くためにはウォーターポンプ自体の大掛かりな分解が必要になる。
【０００４】
したがって本発明は、上記の問題点に鑑み、異物がポンプ室内に流入することがないように異物を捕集するとともに、分解を必要とせずに簡便に機能保持作業ができるようにしたポンプ装置を提供することを目的とする。
【課題を解決するための手段】
【０００５】
このため本発明は、ポンプ室と、ポンプ室に液体を吸い込む吸込口とポンプ室から液体を吐出する吐出口とを有するポンプ装置において、吸込口に、その穴内から外周に至るスリットが設けられ、該スリットに、フィルタ部を有する異物捕捉部材が差し込まれて、異物捕捉部材のフィルタ部が吸込口の穴を横切っているものとした。
【０００６】
上記スリットは吸込口の軸に対して垂直方向に径方向途中まで形成され、異物捕捉部材はスリットの底壁に係止する係合部を有するものとするのが好ましい。
とくに異物捕捉部材は、上半部が吸込口のスリットが形成された部位の外径と同一の外径を有する半円弧の外形を有し、下半部が吸込口の穴の内径と同一の外径を有する円の半円弧内に収まる正面形状を有し、上半部と下半部との段差部が上記係合部を構成しているのが望ましい。
【０００７】
また、異物捕捉部材のフィルタ部は、吸込口の穴の軸心と同心の複数の円形リングを径方向の連結部でつないで構成され、最外周の円形リングと吸込口の穴の内壁との間に間隙を設けるよう設定することができる。
【０００８】
スリットの形成位置としては、吸込口の外周が複数の大径部と、該大径部の間に挟まれた小径部とを有している場合、小径部に形成して、小径部両側の大径部にわたって吸込口に外挿される吸い込みホースにより、スリットおよび異物捕捉部材が外部からシールされるようにすることができ、あるいは、吸込口先端側に設けた大径部に形成して、大径部を越えて吸込口に外挿される吸い込みホースにより、スリットおよび異物捕捉部材が外部からシールされるようにしてもよい。
【発明の効果】
【０００９】
本発明によれば、吸込口を通ってポンプ室内に吸い込まれる液体に混入している異物は、貫通穴を横切る異物捕捉部材のフィルタ部によってポンプ室内に流入する前に捕捉される。したがって異物がポンプ室内の例えばインペラなどに及ぶことがなく、ポンプ室内に堆積することもない。
また、異物捕捉部材はポンプ室外の吸込口に取り付けてあるので、フィルタ部に捕捉された異物の除去や異物捕捉部材の取り替えなどのために、大掛かりな分解を行う必要はなく、メインテナンスも簡単に行うことができる。
【発明を実施するための最良の形態】
【００１０】
次に本発明の実施の形態を実施例により詳細に説明する。
図１は洗濯機循環用のウォーターポンプに適用した第１の実施例の外観を示すもので、（ａ）は斜視図、（ｂ）は上面図である。また、図２は図１におけるＡ−Ａ部断面図である。
ウォーターポンプ１は、ポンプ室２を形成するアッパボディ３とロアボディ４、およびモータ部５とからなっている。
樹脂製のアッパボディ３は、外形が略矩形形状となっており、その前端壁３ａから外方へ延びる吸込口１０と吐出口２０とが設けられ、内部には吸込口１０に連なる導入路３５と、吐出口２０に連なる後述の上部排出路３７とが形成されている。
吸込口１０と吐出口２０は互いに平行で、アッパボディ３の上面と平行になっている。
樹脂製のロアボディ４は、アッパボディ３に対応した略矩形形状の外形で、内部にインペラＨを収容するインペラ室４５と、下部排出路４６とが形成されている。
【００１１】
とくに図２に示すように、モータ部５は、樹脂製のモータケース５１内に配置されたステータ５２と、ステータ５２に囲まれて回転するロータ６０とを備えている。
ステータ５２は、環状の積層コアからなるステータコア５２ａと、ステータコア５２ａに巻回された駆動コイル５２ｂとを備えている。
ロアボディ４は、ロアボディ本体部４１と、その底壁４ｃから延びる筒部４２とからなり、筒部４２はステータ５２の内側に挿入配置されるようになっており、ステータ５２はステータコア５２ａの内周側を筒部４２の外周面に当接させて固定している。また、ロアボディ４の底壁４ｃと筒部４２はモータ部５（ステータ５２）とポンプ室２とを水密的に区画する隔壁として機能している。
筒部４２の底壁には、筒部内方に突出するボス部４３が設けられ、該ボス部４３にはモータシャフト５３が下端を支持されて上方に延びている。モータシャフト５３にはベアリング５４を介してロータ６０が回転可能に支持されている。
【００１２】
ロータ６０は樹脂製で、筒部４２内に位置する回転子形成部６１と、回転子形成部６１から上方に延びてロアボディ本体部４１内に位置するインペラＨを形成するインペラユニット部６５とを有する。
回転子形成部６１の外周面には、筒部４２の側壁を挟んでステータ５２に対向するマグネット６２が取り付けられており、回転子形成部６１の内周面には、ベアリング５４が取り付けられている。
モータシャフト５３の上端は、アッパボディ３からロアボディ４内に延びたシャフト支持柱３３の下端に設けられた受け凹部３４に挿入されて支持されている。すなわち、モータシャフト５３は、受け凹部３４とボス部４３に支持されて固定軸を構成している。
マグネット６２が取り付けられた回転子形成部６１とステータ５２とで、インペラＨを駆動するモータＭが形成される。
【００１３】
インペラユニット部６５は、モータシャフト５３と同軸に配置した上下２枚の円盤状ディスク６６、６７の間に羽根６８を設けてインペラＨを形成している。
上側のディスク６６の内径縁からは環状の上筒部７０がアッパボディ３とロアボディ４の合わせ面近傍まで上方へ延びている。下側のディスク６７の内径縁からは下方へ延びる環状の下筒部７１が回転子形成部６１につながっている。
上筒部７０と下筒部７１の内径は同一で、シャフト支持柱３３との間に所定の間隙を設けてある。
アッパボディ３とロアボディ４の合わせ面には、金属板のセパレータ７と、シール用の弾性シート８が重ねて設けられ、ポンプ室２を上下に区画しており、図１に示すネジ６によってアッパボディ３とロアボディ４を固定することで、合わせ面にセパレータ７と弾性シート８が挟持されている。とくに弾性シートはセパレータ７よりも若干外方へ広く、ウォーターポンプ１外部への水漏れを防止しており、併せてウォーターポンプ１内部における流路以外の部分での水漏れも防止する。
セパレータ７と弾性シート８には、シャフト支持柱３３を中心として、インペラＨの上筒部７０の外径よりもわずかに大きい径の穴９が設けられている。
【００１４】
図３はアッパボディ３を下方（ロアボディ４側）からみた斜視図である。
導入路３５と上部排出路３７は隔壁３１によって区画されており、吸込口１０に連なる導入路３５はシャフト支持柱３３を取り囲み、すなわち、当該シャフト支持柱３３を導入路３５内に位置させている。
図４はロアボディ４を上方（アッパボディ３側）からみた斜視図である。
インペラ室４５は、インペラＨの外周に対して所定の間隙を設けた円形の側壁４７で画されて、後端壁４ｂ寄りに設定されている。下部排出路４６は、一定幅の間隔をもたせた第１壁４８と第２壁４９で形成され、一端は第１壁４８をインペラ室４５の側壁４７に接線方向で接続させ、他端はロアボディ本体部４１の前隅部方向に延ばしている。
【００１５】
セパレータ７と弾性シート８には前述の穴９に加えて、さらにロアボディ本体部４１の前隅部に対応する部位に開口７５（図４に仮想線で示す）が設けられ、この開口７５を通じてアッパボディ３の上部排出路３７とロアボディ４の下部排出路４６とが連通している。
吐出口２０は一定内径の貫通穴２１を有する。吐出口２０の外形は、所定の基本外径を有し、先端に吐出ホースを差し込みやすくするための面取りが施されるとともに、軸方向に間隔を設けて２つのビード状の大径部２４、２５を備えている。
【００１６】
図５は吸込口部分を拡大して示し、（ａ）は縦断面図、（ｂ）は（ａ）におけるＢ−Ｂ部断面図である。
吸込口１０は、吐出口２０と同様に、一定内径の貫通穴１１と基本外径を有し、軸方向に間隔を設けて２つのビード状の大径部１４、１５を備えている。相対的に、基本外径部分が小径部１２となる。また、吸込口１０の先端には面取りがなされている。
吸込口１０にはさらに、上半部に、軸方向に垂直なスリット１７が設けられている。スリット１７は２つの大径部１４、１５の間に形成されている。後述のように、スリット１７に異物捕捉部材８０が嵌め込まれ、貫通穴１１を横断する。
スリット１７の軸方向幅は図６の（ｂ）に示す異物捕捉部材８０の厚さＤと整合する幅を有し、また、スリット１７の底壁１８は貫通穴１１の直径線上で水平な平坦面となっている。
【００１７】
図６は異物捕捉部材の形状を示し、（ａ）は正面図、（ｂ）は側面図である。
異物捕捉部材８０は樹脂製で、取付部８１とフィルタ部８５とからなっている。
（ａ）に示すように、異物捕捉部材８０の上半部は吸込口１０の基本外径（小径部の径）と同一の外径を有する半円弧の外形を有し、下半部は貫通穴１１の径と同一の外径を有する半円弧内に収まる正面形状を有する。各円弧の中心は一致させてあり、該中心を中心とする複数の円形リング８６（８６ａ、８６ｂ、８６ｃ）が形成されて、隣接する円形リング８６間が間隙８８（８８ａ、８８ｂ）になっている。複数の円形リング８６間は、当該円形リング８６と同等幅の径方向の連結部８７でつながっている。
複数の円形リング８６とこれらをつなぐ連結部８７とでフィルタ部８５が形成され、円形リング８６間の間隙８８を水が通過するときに異物が捕捉される。洗濯機循環用としては、間隙８８の幅を１ｍｍ以下とすれば、糸くずに対して高い捕捉率が得られる。
異物捕捉部材８０は、（ｂ）に示すように、上半部および下半部を通じて一定厚さＤである。厚さＤは吸込口１０におけるスリット１７の幅（軸方向）に整合するように設定される。
【００１８】
取付部８１は、上半部の最外周の半円リング部分であり、その径方向幅が吸込口１０の基本外径部分の肉厚ｔ（図５の（ａ）参照）と同一とされ、内壁が貫通穴１１の内壁と整合している。
この取付部８１が、異物捕捉部材８０を吸込口１０のスリット１７に挿し込んだときに吸込口１０に係止し、厚さＤがスリット１７の幅に整合して嵌まり込むので、これにより吸込口１０に対する異物捕捉部材８０の軸方向位置が定まる。
【００１９】
フィルタ部８５においては、下半部の最外周の半円リングはその外径が貫通穴１１の内径より小さく設定され、上半部における最外周から２番目の半円リングに連続して両者で上記の円形リング８６ｃを形成しており、当該円形リング８６ｃと貫通穴１１の内壁との間が間隙８８ｃになっている。
下半部では連結部８７が最外周の円形リング８６ｃから貫通穴１１の内壁相当位置まで延びている。すなわち、前述のように、下半部は図６に仮想線で示した貫通穴１１の径内に収まるので、仮想線までの領域がフィルタ機能領域となる。仮想線で外縁が規定されるフィルタ機能領域の下半部と上半部の取付部８１との段差部、すなわち最外周の半円リングの両端は、直径線上に並んで平坦な当接面８２、８２となっている。
図７の（ａ）に示すように、異物捕捉部材８０を上方からスリット１７に嵌め込むと、（ｂ）のように、当接面８２がスリット１７の底壁１８に着座して、互いに面で接する。これにより吸込口１０に対する異物捕捉部材８０の上下方向および周方向位置も定まる。
【００２０】
図８は異物捕捉部材が嵌め込まれた吸込口に吸い込みホースが取り付けられた状態を示す。
吸い込みホース９０は吸込口１０先端から２つの大径部１４、１５をカバーするまで挿し込まれ、両大径部１４、１５の間でクランプ９２により固定される。
異物捕捉部材８０が嵌め込まれたスリット１７は、大径部１４、１５の間で吸い込みホース９０に覆われているから、スリット１７から水が漏れ出すことはない。また、異物捕捉部材８０は吸い込みホース９０に遮られるので脱落するおそれもない。
【００２１】
以上のように構成されたウォーターポンプ１では、水は次のような経路で流れる。
先ず、吸い込みホース９０から吸込口１０に流入する水は、吸込口１０からアッパボディ３の導入路３５を流れ、シャフト支持柱３３まわりに至る。シャフト支持柱３３まわりにはセパレータ７と弾性シート８に穴９が設けられ、この穴９にはインペラＨの上筒部７０、下筒部７１が対向しているので、水は穴９からロアボディ４内のインペラＨの中心部に流入する。
【００２２】
モータＭにより回転するインペラＨの羽根６８によって放射方向へ付勢された水は、ロアボディ４の下部排出路４６へ押し出され、下部排出路４６を流れたあと、その末端部位でセパレータ７と弾性シート８に設けられた開口７５を経てアッパボディ３の上部排出路３７へ進む。こうして最後に上部排出路３７から吐出口２０に至り、吐出口２０に接続された不図示の排出ホースへ吐出される。
この一連の流れのなかで、吸込口１０を流れる際に異物捕捉部材のフィルタ部８５を通過するので、吸い込みホース９０を流れてきた水に混入している糸くずその他の異物は吸込口１０内で捕捉される。
【００２３】
本実施例では、異物捕捉部材の当接面８２が発明における係合部に該当している。
【００２４】
本実施の形態は以上のように構成され、吸込口１０にその貫通穴１１から外周に至るスリット１７が設けられ、このスリット１７にフィルタ部８５を有する異物捕捉部材８０が嵌め込まれて、フィルタ部８５が吸込口１０の貫通穴１１を横切っているものとしたので、吸込口１０を通ってポンプ室２内に吸い込まれる水に混入している異物は、貫通穴１１を横切る異物捕捉部材のフィルタ部８５によってポンプ室２内に流入する前に捕捉される。したがって異物がインペラＨに及ぶことがなく、ポンプ室２内に堆積することもない。
また、異物捕捉部材８０はポンプ室２外の吸込口１０に取り付けてあるので、フィルタ部８５に捕捉された異物の除去や異物捕捉部材８０の取り替えなどのために、アッパボディ３とロアボディ４の分離など大掛かりな分解を行う必要はなく、メインテナンスも簡単に行うことができる。
【００２５】
スリット１７は、吸込口１０の軸に対して垂直方向に貫通穴１１の中心高さまで形成され、異物捕捉部材８０はスリット１７の底壁１８に係止する当接面８２を有しているので、異物捕捉部材８０をスリット１７に挿入して押し込むだけで、当接面８２がスリット両端の底壁１８に着座することになり、精度の高い位置決めができる。
【００２６】
異物捕捉部材８０は、とくに上半部が吸込口１０の上記スリット１７が形成された部位の外径（基本外径）と同一の外径を有する半円弧の外形を有し、下半部が吸込口１０の貫通穴１１の内径と同一の外径を有する円の半円弧内に収まる正面形状を有し、上半部と下半部との段差部が当接面８２となっている。したがって、外形を吸込口１０の小径部１２の外径と同一とした取付部８１の外周が、スリット１７の形成された吸込口１０の小径部１２外周と整合して面一となり、吸い込みホース９０を吸込口１０に挿し込む際になんら障害とならない。
【００２７】
異物捕捉部材８０のフィルタ部８５は、吸込口１０に取り付けられたときに吸込口１０の貫通穴１１の軸心と同心となる複数の円形リング８６を径方向の連結部８７でつないで構成され、最外周の円形リングと吸込口１０の貫通穴１１の内壁との間に間隙８８ｃを設けるよう設定されている。このため、水が貫通穴１１の内壁に沿う部分にも流れることができ、とくに通流抵抗が低いという利点を有する。
【００２８】
また、吸込口１０の外周は複数の大径部１４、１５と該大径部の間に挟まれた小径部１２とを有しており、スリット１７は小径部１２に形成されて、小径部両側の大径部１４、１５にわたって吸込口１０に挿し込まれる吸い込みホース９０により、スリット１７および異物捕捉部材８０が外部からシールされるように構成されているので、水の流路にスリット１７を設けてあってもそこから漏水することはなく、確実なシール機能が発揮される。
【００２９】
次に第２の実施例について説明する。
これは、第１の実施例では、異物捕捉部材８０を嵌め込むスリット１７を吸込口１０における２つの大径部の間に挟まれた小径部に設けるものとした代わりに、スリット１７’を吸込口１０’の大径部１４’に配置したものである。
吸込口まわりを除いては、第１の実施例と同じである。
図９は第２の実施例にかかる吸込口部分を示し、（ａ）は縦断面図、（ｂ）は（ａ）におけるＣ−Ｃ部断面図である。
吸込口１０’がその先端側に異物捕捉部材８０’の厚さＤよりも幅広の大径部１４’を有している。
この場合にも、スリット１７’の底壁１８は吸込口１０’の貫通穴１１の直径線上で水平な平坦面となっている。
【００３０】
そして、図１０に示すように、異物捕捉部材８０’の上半部は、吸込口１０’の大径部１４’と同一の外径を有する半円弧の外形を有し、上半部の最外周の半円リングは、その径方向幅が吸込口１０’の大径部１４’の肉厚ｔ’と同一とされて、取付部８１’となる。その他は実施の形態における異物捕捉部材８０と同じである。
これによっても第１の実施例と同じ効果を奏するとともに、図１１に示すように、吸込口１０’に挿し込まれる吸い込みホース９０は大径部１４’においてとくに吸込口１０’の外周面に密着するので、小径部１２におけるクランプの有無にかかわらず、大径部１４’に設けられたスリット１７’および異物捕捉部材８０’が確実に外部からシールされる。
【００３１】
なお、実施の形態では、ポンプ室２をアッパボディ３とロアボディ４で形成し、アッパボディ３に吸込口１０（１０’）と吐出口２０とを設けたものとしたが、本発明はこれに限定されず、ポンプ室２の構成や吸込口１０（１０’）の配置は任意に設定できる。
また、異物捕捉部材８０（８０’）は樹脂の一体成形品としたが、その形状、とくにフィルタ部８５の形状は捕捉すべき異物の性状に応じて種々の形状を選択することができ、またフィルタ部を金網とした２部材のモールド品とすることもできる。
さらに、実施の形態は非容積形のポンプを例に説明したが、これに限定されず、本発明は容積形のポンプ装置にも適用可能である。
【図面の簡単な説明】
【００３２】
【図１】第１の実施例の外観を示す図である。
【図２】第１の実施例の断面図である。
【図３】アッパボディを下方からみた斜視図である。
【図４】ロアボディを上方からみた斜視図である。
【図５】吸込口部分を示す拡大図である。
【図６】異物捕捉部材を示す図である。
【図７】異物捕捉部材をスリットに嵌め込んだ状態を示す図である。
【図８】吸込口に吸い込みホースを挿し込んだ状態を示す図である。
【図９】第２の実施例にかかる吸込口部分を示す拡大図である。。
【図１０】第２の実施例の異物捕捉部材を示す図である。
【図１１】第２の実施例における吸込口に吸い込みホースを挿し込んだ状態を示す図である。
【符号の説明】
【００３３】
１    ウォーターポンプ
２    ポンプ室
３    アッパボディ
４    ロアボディ
５    モータ部
７    セパレータ
８    弾性シート
１０、１０’    吸込口
１１    貫通穴
１２    小径部
１４、１４’、１５    大径部
１７、１７’    スリット
１８    底壁
２０    吐出口
３１    隔壁
３５    導入路
３７    上部排出路
４５    インペラ室
４６    下部排出路
５２    ステータ
６０    ロータ
６１    回転子形成部
６２    マグネット
６５    インペラユニット部
６６、６７    円盤状ディスク
６８    羽根
７５    開口
８０、８０’    異物捕捉部材
８１、８１’    取付部
８２、８２    当接面
８５    フィルタ部
８６ａ、８６ｂ、８６ｃ    円形リング
８７    連結部
８８ａ、８８ｂ、８８ｃ    間隙
９２    クランプ
Ｈ    インペラ
Ｍ    モータ
【図１】
2010116788.tif 000003
【図２】
2010116788.tif 000004
【図３】
2010116788.tif 000005
【図４】
2010116788.tif 000006
【図５】
2010116788.tif 000007
【図６】
2010116788.tif 000008
【図７】
2010116788.tif 000009
【図８】
2010116788.tif 000010
【図９】
2010116788.tif 000011
【図１０】
2010116788.tif 000012
【図１１】
2010116788.tif 000013